(57)【要約】      （修正有）【課題】加熱庫の扉の閉時又は開時において低コストに適度なクリック感が得られる加熱調理器を提供する。【解決手段】被加熱物を収容するための加熱庫２、加熱庫２の開口を開閉する扉３、加熱庫２内を加熱するヒータ、加熱庫２の外部に固定されたガイド部７、受皿５を着脱可能に支持し、扉３が装着され、ガイド部７に対して摺動可能な被ガイド部６、加熱庫２の外部に被ガイド部６と連動しないで固定された第１の磁石Ｍ１、及び被ガイド部６と連動する第２の磁石Ｍ２、を有し、被ガイド部６がガイド部７に対して摺動する場合、第１の磁石Ｍ１と第２の磁石Ｍ２とが同極で対向する第１の位置を乗り越えることによって、第１の磁石Ｍ１と第２の磁石Ｍ２との反発力によるクリック感を得る。【選択図】図１
2006305196.tif 000002
【特許請求の範囲】
【請求項１】
被加熱物を収容するための加熱庫、
前記加熱庫の開口を開閉する扉、
前記加熱庫内を加熱するヒータ、
前記加熱庫の外部に固定されたガイド部、
受皿を着脱可能に支持し、前記扉が装着され、前記ガイド部に対して摺動可能な被ガイド部、
前記加熱庫の外部に前記被ガイド部と連動しないで固定された第１の磁石、及び
前記被ガイド部と連動する第２の磁石、を有し、
前記被ガイド部が前記ガイド部に対して摺動する場合、前記第１の磁石と前記第２の磁石とが同極で対向する第１の位置を乗り越えることによって、前記第１の磁石と前記第２の磁石との反発力によるクリック感を得る
ことを特徴とする加熱調理器。
【請求項２】
前記扉の閉時、前記第１の磁石と前記第２の磁石とが同極で対向する第１の位置を乗り越えて前記扉の閉位置に至ることによって、前記扉の閉位置から開方向への動作を制限することを特徴とする請求項１に記載の加熱調理器。
【請求項３】
前記扉の開時、前記第１の磁石と前記第２の磁石とが同極で対向する第１の位置を乗り越えて前記扉の開位置に至ることによって、前記扉の開位置から閉方向への動作を制限することを特徴とする請求項１に記載の加熱調理器。
【請求項４】
前記加熱庫の外部に前記被ガイド部と連動しないで固定された第３の磁石をさらに有し、
前記扉の閉時、前記第１の磁石と前記第２の磁石とが同極で対向する第１の位置を乗り越えて前記扉の閉位置に至ることによって、前記扉の閉位置から開方向への動作を制限し、
前記扉の開時、前記第３の磁石と前記第２の磁石とが同極で対向する第２の位置を乗り越えて前記扉の開位置に至ることによって、前記扉の開位置から閉方向への動作を制限する
ことを特徴とする請求項１に記載の加熱調理器。
【請求項５】
前記被ガイド部と連動する第３の磁石をさらに有し、
前記扉の閉時、前記第１の磁石と前記第２の磁石とが同極で対向する第１の位置を乗り越えて前記扉の閉位置に至ることによって、前記扉の閉位置から開方向への動作を制限し、
前記扉の開時、前記第１の磁石と前記第３の磁石とが同極で対向する第２の位置を乗り越えて前記扉の開位置に至ることによって、前記扉の開位置から閉方向への動作を制限する
ことを特徴とする請求項１に記載の加熱調理器。
【請求項６】
前記加熱庫の外部に前記被ガイド部と連動しないで固定された磁石、又は、前記被ガイド部と連動する磁石、を第４の磁石としてさらに有し、
前記扉の閉位置及び開位置の少なくとも一方において、前記第４の磁石と、前記被ガイド部と連動する他の磁石、又は、前記加熱庫の外部に前記被ガイド部と連動しないで固定された他の磁石とが互いに異極で対向することによって、磁石の吸引力で前記扉の閉位置及び開位置の少なくとも一方を安定させる
ことを特徴とする請求項２乃至請求項５のいずれかの請求項に記載の加熱調理器。
【請求項７】
前記加熱庫の外部に前記被ガイド部と連動しないで固定された第４の磁石、及び
前記被ガイド部と連動する第５の磁石、をさらに有し、
前記扉の閉位置及び開位置の少なくとも一方において、前記第４の磁石と前記第５の磁石とが互いに異極で対向することによって、磁石の吸引力で前記扉の閉位置及び開位置の少なくとも一方を安定させ、
前記第４の磁石と前記第５の磁石との間に働く磁力は、前記加熱庫の外部に前記被ガイド部と連動しないで固定された他の磁石と、前記被ガイド部と連動する他の磁石と、の間に働く磁力よりも大きい
ことを特徴とする請求項２乃至請求項５のいずれかの請求項に記載の加熱調理器。
【発明の詳細な説明】
【技術分野】
【０００１】
本発明は、加熱調理器に関する。特に、低コストに扉の閉時又は開時にクリック感を得られる加熱調理器に関する。
【背景技術】
【０００２】
加熱庫内に引き出し可能に収納された受皿を加熱庫の扉と共に出し入れを行う加熱調理器において、受皿の出し入れに伴うガタツキや磨耗を低減し、操作感を改善するための構成が特許文献１に開示されている。
【０００３】
特許文献１に開示された従来例の加熱調理器は、加熱庫に固定されたガイド部と、受皿を支持する被ガイド部とを有し、被ガイド部がガイド部に対してベアリングやローラー等のころがり軸受によって摺動する。
【０００４】
従来例の加熱調理器は、このような構成により、受皿の出し入れに伴うガタツキや磨耗を低減し、スムーズに受皿の出し入れを行うものであった。
【０００５】
【特許文献１】特開２００４−２６３８９９号公報
【発明の開示】
【発明が解決しようとする課題】
【０００６】
しかしながら、上記の従来例の加熱調理器は、受皿のスムーズな出し入れを可能とする一方で、被ガイド部とガイド部との間に働く摩擦力が小さく、加熱庫の扉の閉時又は開時において、適度な反発を乗り越えることによるクリック感が得られない、という問題があった。このクリック感が得られない場合、使用者が扉を閉める（あるいは開ける）ことを意図せずに単に扉に触れただけで、扉が閉まってしまう（あるいは開いてしまう）可能性がある。
【０００７】
また、加熱調理器をキッチンのキャビネットに一体的に組み込んだ場合、キャビネットの構造によっては、加熱調理器の奥行きよりもキャビネットの奥行きの方が大きいことがある。そのような場合には、キャビネットの天板の縁が加熱調理器の扉の閉位置から出っ張り、扉の閉時に使用者の閉動作を妨げる、という問題があった。
【０００８】
本発明は、上記問題に鑑み、加熱庫の扉の閉時又は開時において低コストに適度なクリック感が得られる加熱調理器を提供することを課題とする。
【課題を解決するための手段】
【０００９】
上記問題を解決するために、本発明は以下の構成を有する。
請求項１に記載の加熱調理器は、被加熱物を収容するための加熱庫、前記加熱庫の開口を開閉する扉、前記加熱庫内を加熱するヒータ、前記加熱庫の外部に固定されたガイド部、受皿を着脱可能に支持し、前記扉が装着され、前記ガイド部に対して摺動可能な被ガイド部、前記加熱庫の外部に前記被ガイド部と連動しないで固定された第１の磁石、及び前記被ガイド部と連動する第２の磁石、を有し、前記被ガイド部が前記ガイド部に対して摺動する場合、前記第１の磁石と前記第２の磁石とが同極で対向する第１の位置を乗り越えることによって、前記第１の磁石と前記第２の磁石との反発力によるクリック感を得る。
この発明によれば、使用者は第１の磁石及び第２の磁石の反発力以上の力で扉を操作しなければ、扉を開閉できないので、使用者の、扉を閉位置又は開位置に移動させようとする意思を確認できる。したがって、使用者が扉を閉める（あるいは開ける）ことを意図せずに単に扉に触れただけで、扉が閉まってしまう（あるいは開いてしまう）ことはない。また、第１の磁石と第２の磁石とが同極で対向する第１の位置を変更することで、扉のストローク量を調節できる。第１の位置を乗り越えた後は、扉は磁石の反発力によって閉位置又は開位置に移動する。したがって、加熱調理器の奥行きよりもキャビネットの奥行きの方が大きく、キャビネットの天板の縁が加熱調理器の扉の閉位置から多少出っ張っていても、使用者は、容易に扉を閉めることができる。磁石は低コストである。上記の構成によれば、加熱庫の扉の閉時又は開時において低コストに適度なクリック感が得られる加熱調理器を実現できる。
【００１０】
請求項２に記載の加熱調理器は、請求項１に記載の加熱調理器において、前記扉の閉時、前記第１の磁石と前記第２の磁石とが同極で対向する第１の位置を乗り越えて前記扉の閉位置に至ることによって、前記扉の閉位置から開方向への動作を制限する。「扉の閉位置」とは、加熱庫の開口が完全かつ安全に閉まった状態における、使用者から見た扉の前後方向の位置を言う。
これらの発明によれば、扉の閉時において、低コストに適度なクリック感が得られ、かつ、扉が自然に（例えば、加熱調理器の設置箇所の微小な傾き等によって）閉位置から開方向へ動き出すことを制限できる。
【００１１】
請求項３に記載の加熱調理器は、請求項１に記載の加熱調理器において、前記扉の開時、前記第１の磁石と前記第２の磁石とが同極で対向する第１の位置を乗り越えて前記扉の開位置に至ることによって、前記扉の開位置から閉方向への動作を制限する。「扉の開位置」とは、加熱庫の開口が開き、受皿を用意に着脱できる状態における、使用者から見た扉の前後方向の位置を言う。
これらの発明によれば、扉の開時において、低コストに適度なクリック感が得られ、かつ、扉が自然に（例えば、加熱調理器の設置箇所の微小な傾き等によって）開位置から閉方向へ動き出すことを制限できる。
【００１２】
請求項４に記載の加熱調理器は、請求項１に記載の加熱調理器において、前記加熱庫の外部に前記被ガイド部と連動しないで固定された第３の磁石をさらに有し、前記扉の閉時、前記第１の磁石と前記第２の磁石とが同極で対向する第１の位置を乗り越えて前記扉の閉位置に至ることによって、前記扉の閉位置から開方向への動作を制限し、前記扉の開時、前記第３の磁石と前記第２の磁石とが同極で対向する第２の位置を乗り越えて前記扉の開位置に至ることによって、前記扉の開位置から閉方向への動作を制限する。
また、請求項５に記載の加熱調理器は、請求項１に記載の加熱調理器において、前記被ガイド部と連動する第３の磁石をさらに有し、前記扉の閉時、前記第１の磁石と前記第２の磁石とが同極で対向する第１の位置を乗り越えて前記扉の閉位置に至ることによって、前記扉の閉位置から開方向への動作を制限し、前記扉の開時、前記第１の磁石と前記第３の磁石とが同極で対向する第２の位置を乗り越えて前記扉の開位置に至ることによって、前記扉の開位置から閉方向への動作を制限する。
「扉の閉位置」とは、加熱庫の開口が完全かつ安全に閉まった状態における、使用者から見た扉の前後方向の位置を言う。「扉の開位置」とは、加熱庫の開口が開き、受皿を用意に着脱できる状態における、使用者から見た扉の前後方向の位置を言う。
これらの発明によれば、扉の閉時及び開時の両方において、低コストに適度なクリック感が得られ、かつ、扉が自然に（例えば、加熱調理器の設置箇所の微小な傾き等によって）閉位置から開方向及び開位置から閉方向へ動き出すことを制限できる。
【００１３】
請求項６に記載の加熱調理器は、請求項２乃至請求項５のいずれかの請求項に記載の加熱調理器において、前記加熱庫の外部に前記被ガイド部と連動しないで固定された磁石、又は、前記被ガイド部と連動する磁石、を第４の磁石としてさらに有し、前記扉の閉位置及び開位置の少なくとも一方において、前記第４の磁石と、前記被ガイド部と連動する他の磁石、又は、前記加熱庫の外部に前記被ガイド部と連動しないで固定された他の磁石とが互いに異極で対向することによって、磁石の吸引力で前記扉の閉位置及び開位置の少なくとも一方を安定させる。
この発明によれば、磁石の吸引力によって加熱庫の扉が閉位置又は開位置にある場合に安定感が得られる。これにより、使用者は、扉の閉時又は開時において、扉が完全に閉まったかどうか、あるいは、扉が完全に開いたかどうかを明確に感じ取ることができる。また、加熱調理器の設置箇所の微小な傾きや、外部からの振動等によって、扉が勝手に開いたり閉じたりすることがなく安定である。
【００１４】
請求項７に記載の加熱調理器は、請求項２乃至請求項５のいずれかの請求項に記載の加熱調理器において、前記加熱庫の外部に前記被ガイド部と連動しないで固定された第４の磁石、及び前記被ガイド部と連動する第５の磁石、をさらに有し、前記扉の閉位置及び開位置の少なくとも一方において、前記第４の磁石と前記第５の磁石とが互いに異極で対向することによって、磁石の吸引力で前記扉の閉位置及び開位置の少なくとも一方を安定させ、前記第４の磁石と前記第５の磁石との間に働く磁力は、前記加熱庫の外部に前記被ガイド部と連動しないで固定された他の磁石と、前記被ガイド部と連動する他の磁石と、の間に働く磁力よりも大きい。
この発明によれば、磁石の吸引力によって加熱庫の扉が閉位置又は開位置にある場合に安定感が得られるとともに、クリック感を得るための力よりも、扉の位置を安定させる力の方が大きく、扉の開閉時の使用感が良い。使用者は、扉の閉時又は開時において、扉が完全に閉まったかどうか、あるいは、扉が完全に開いたかどうかを明確に感じ取ることができる。また、加熱調理器の設置箇所の微小な傾きや、外部からの振動等によって、扉が勝手に開いたり閉じたりすることがなく安定である。
【発明の効果】
【００１５】
本発明によれば、加熱庫の扉の閉時又は開時において低コストに適度なクリック感が得られる加熱調理器を実現できる、という有利な効果が得られる。
【発明を実施するための最良の形態】
【００１６】
以下本発明の実施をするための最良の形態を具体的に示した実施例について、図面とともに記載する。
【実施例１】
【００１７】
図１、図２、及び図１１を参照して、実施例１における本発明の加熱調理器について説明する。図１１は、本実施例における加熱調理器の構成を示す図である。図１は、本実施例における加熱調理器１の要部の構成を示す図である。
【００１８】
図１１において、加熱調理器１は、加熱庫２、扉３、扉支持部４、受皿支持部８、ヒータ９、電磁誘導コイル１２、排気口１３、ガラストッププレート１４を有し、キッチンのキャビネットＣＢに一体的に組み込まれている。
【００１９】
扉３は、扉支持部４に支持され、加熱庫２の前面（図１１において左側）の開口部の開閉を行う。扉支持部４には、受皿支持部８が固定されている。受皿支持部８は、受皿５を着脱可能に支持する。扉支持部４には、後に詳細を説明する図１における被ガイド部６が固定され、加熱庫２には、後に詳細を説明する図１におけるガイド部７が固定されている。このガイド部７が被ガイド部６に対して摺動可能にガイドされることによって、受皿支持部８に支持された受皿５は、被ガイド部６、扉支持部４、及び扉３と共に引き出し可能に、加熱庫２内に収納される。
【００２０】
受皿５には、被加熱物１１を載置するための焼き網１０が受皿５に対して着脱可能にセットされる。受皿５にセットされた焼き網１０は、被加熱物１１と共に加熱庫２内に収納され、被加熱物１１はヒータ９によって加熱調理される。図１１において、加熱調理器１は２つのヒータ９を有する。焼き網１０の上面及び被加熱物１１は、加熱庫２内で、２つのヒータ９の間に収納されるので、被加熱物１１は両面から加熱調理される。
【００２１】
加熱調理器１は、加熱庫２の内部と外部を接続するための排気口１３を有する。加熱調理器１は、ファン等により、排気口１３を介して、被加熱物１１の加熱に伴う熱や油煙等を外部に排出する。
【００２２】
加熱調理器１は、ヒータ９による加熱の他に、図１１に示すように、電磁誘導コイル１２による加熱を行っても良い。加熱庫２の上部に設けられた電磁誘導コイル１２は、ガラストッププレート１４上に載置された鍋１５を誘導加熱する。これにより、鍋１５内の被加熱物１７が加熱調理される。
【００２３】
ヒータ９による加熱調理の開始、停止及び加熱加減の調整、及び電磁誘導コイル１２による加熱調理の開始、停止及び加熱加減の調整等は、図示しない操作部を使用者が操作することによって行われる。
【００２４】
図１を参照して、本発明の加熱調理器１の主要部分について説明する
図１において、加熱庫２、扉３、扉支持部４、受皿５、受皿支持部８については、既に図１１を用いて説明した。ガイド部７は、加熱庫２の外側の側面に固定されている。ガイド部７の所定の位置には、第１の磁石Ｍ１が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ２が配設されている。第１の磁石Ｍ１と第２の磁石Ｍ２は、被ガイド部６がガイド部７に対して摺動した場合に、所定の位置で互いに同極で対向するように配設される。
【００２５】
被ガイド部６は、ガイド部７に対してスムーズに摺動可能に嵌合されている。スムーズに摺動可能にするために、例えば、被ガイド部６及びガイド部７にベアリングやローラー等のころがり軸受を用いることが好ましい。
【００２６】
図２は、扉３の閉時及び開時における第１の磁石Ｍ１及び第２の磁石Ｍ２の位置関係を示す図である。図２（ａ）に示すように、扉３の開時において、第１の磁石Ｍ１及び第２の磁石Ｍ２は、十分離れている。この状態から、使用者が扉３を閉める動作をした場合、第１の磁石Ｍ１と第２の磁石Ｍ２とが同極で対向する位置の若干前において、第１の磁石Ｍ１と第２の磁石Ｍ２の同極同士（Ｎ極とＮ極、又は、Ｓ極とＳ極）の反発力によって、扉３の閉動作の方向とは反対の方向に力が付勢される。使用者は、その反発力以上の力で扉３を閉方向に押すことによって、図２（ｂ）に示すように、第１の磁石Ｍ１と第２の磁石Ｍ２とが対向する位置（図２（ｂ）において矢印が描かれている辺り）を乗り越えて、扉３の閉位置（加熱庫２の開口が完全かつ安全に閉まった状態における、使用者から見た扉３の前後方向の位置）に至る。
【００２７】
これにより、使用者は、第１の磁石Ｍ１及び第２の磁石Ｍ２の反発力以上の力で扉３を閉方向に押さなければ、扉３を閉めることができないため、使用者の扉３を閉位置に移動させようとする意思を確認できる。したがって、使用者が扉を閉めることを意図せずに単に扉に触れただけで、扉が閉まってしまうことはない。また、一旦第１の磁石Ｍ１及び第２の磁石Ｍ２が対向する位置を乗り越えた後は、第１の磁石Ｍ１及び第２の磁石Ｍ２の反発力によって扉の閉位置から開方向への動作が制限されるため、被ガイド部６及びガイド部７にベアリングやローラー等を用いて摺動性を良くした場合においても、扉が加熱調理器の設置箇所の微小な傾き等によって自然に閉位置から開方向へ動き出すことはない。
【００２８】
また、第１の磁石Ｍ１と第２の磁石Ｍ２とが同極で対向する位置を変更することによって、加熱調理器１が一体的に組み込まれるキャビネットの構造に応じて、扉３の前後方向のストローク量を調節できる。第１の磁石Ｍ１と第２の磁石Ｍ２とが同極で対向する位置を乗り越えた後は、扉３は磁石の反発力によって閉位置に移動する。したがって、加熱調理器の奥行きよりもキャビネットの奥行きの方が大きく、キャビネットの天板の縁が加熱調理器の扉の閉位置から多少出っ張っていても、使用者は、容易に扉３を閉めることができる。
【００２９】
上記の構成によれば、加熱庫の扉の閉時において低コストに適度なクリック感が得られ、る加熱調理器を実現できる、という有利な効果を奏する。
【実施例２】
【００３０】
図３及び図４を参照して、実施例２における本発明の加熱調理器について説明する。図３は、本実施例における加熱調理器２０１の要部の構成を示す図である。
【００３１】
図３において、本実施例における加熱調理器２０１は、第１の磁石Ｍ１及び第２の磁石Ｍ２に代えて第１の磁石Ｍ２１及び第２の磁石Ｍ２２を有する点において、図１を用いて説明した実施例１の加熱調理器１とは異なる。それ以外の点においては実施例１と同様であり、図１と同一符号を付した要素についての詳細な説明は省略する。
【００３２】
図３を参照して、本発明の加熱調理器２０１の主要部分について説明する。
図３において、ガイド部７は、加熱庫２の外側の側面に固定されている。ガイド部７の所定の位置には、第１の磁石Ｍ２１が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ２２が配設されている。第１の磁石Ｍ２１と第２の磁石Ｍ２２は、被ガイド部６がガイド部７に対して摺動した場合に、所定の位置で互いに同極で対向するように配設される。
【００３３】
図４は、扉３の閉時及び開時における第１の磁石Ｍ２１及び第２の磁石Ｍ２２の位置関係を示す図である。図４（ｂ）に示すように、扉３の閉時において、第１の磁石Ｍ２１及び第２の磁石Ｍ２２は、十分離れている。この状態から、使用者が扉３を開ける動作をした場合、第１の磁石Ｍ２１と第２の磁石Ｍ２２とが同極で対向する位置の若干前において、第１の磁石Ｍ２１と第２の磁石Ｍ２２の同極同士（Ｎ極とＮ極、又は、Ｓ極とＳ極）の反発力によって、扉３の開動作の方向とは反対の方向に力が付勢される。使用者は、その反発力以上の力で扉３を開方向に引き出すことによって、図４（ａ）に示すように、第１の磁石Ｍ２１と第２の磁石Ｍ２２とが対向する位置（図４（ａ）において矢印が描かれている辺り）を乗り越えて、扉３の開位置（加熱庫２の開口が開き、受皿５を用意に着脱できる状態における、使用者から見た扉３の前後方向の位置）に至る。
【００３４】
これにより、使用者は、第１の磁石Ｍ２１及び第２の磁石Ｍ２２の反発力以上の力で扉３を開方向に引き出さなければ、扉３を開けることができないため、使用者の扉３を開位置に移動させようとする意思を確認できる。したがって、使用者が扉を開けることを意図せずに単に扉に触れただけで、扉が開いてしまうことはない。また、一旦第１の磁石Ｍ２１及び第２の磁石Ｍ２２が対向する位置を乗り越えた後は、第１の磁石Ｍ２１及び第２の磁石Ｍ２２の反発力によって扉の開位置から閉方向への動作が制限されるため、被ガイド部６及びガイド部７にベアリングやローラー等を用いて摺動性を良くした場合においても、扉が加熱調理器の設置箇所の微小な傾き等によって自然に開位置から閉方向へ動き出すことはない。
【００３５】
上記の構成によれば、加熱庫の扉の開時において低コストに適度なクリック感が得られる加熱調理器を実現できる、という有利な効果を奏する。
【実施例３】
【００３６】
図５及び図６を参照して、実施例３における本発明の加熱調理器について説明する。図５は、本実施例における加熱調理器３０１の要部の構成を示す図である。
【００３７】
図５において、本実施例における加熱調理器３０１は、第１の磁石Ｍ１及び第２の磁石Ｍ２に代えて第１の磁石Ｍ３１、第２の磁石Ｍ３２、及び第３の磁石Ｍ３３を有する点において、図１を用いて説明した実施例１の加熱調理器１とは異なる。それ以外の点においては実施例１と同様であり、図１と同一符号を付した要素についての詳細な説明は省略する。
【００３８】
図５を参照して、本発明の加熱調理器３０１の主要部分について説明する。
図５において、ガイド部７は、加熱庫２の外側の側面に固定されている。ガイド部７の所定の位置には、第１の磁石Ｍ３１及び第３の磁石Ｍ３３が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ３２が配設されている。第１の磁石Ｍ３１と第２の磁石Ｍ３２、及び、第２の磁石Ｍ３２と第３の磁石Ｍ３３は、被ガイド部６がガイド部７に対して摺動した場合に、所定の位置で互いに同極で対向するように配設される。
【００３９】
図６は、扉３の閉時及び開時における第１の磁石Ｍ３１、第２の磁石Ｍ３２、及び第３の磁石Ｍ３３の位置関係を示す図である。図６（ａ）に示した扉３の開状態から、使用者が扉３を閉める動作をした場合、第１の磁石Ｍ３１と第２の磁石Ｍ３２とが同極で対向する位置の若干前において、第１の磁石Ｍ３１と第２の磁石Ｍ３２の同極同士（Ｎ極とＮ極、又は、Ｓ極とＳ極）の反発力によって、扉３の閉動作の方向とは反対の方向に力が付勢される。使用者は、その反発力以上の力で扉３を閉方向に押すことによって、図６（ｂ）に示すように、第１の磁石Ｍ３１と第２の磁石Ｍ３２とが対向する位置（図６（ｂ）において矢印が描かれている辺り）を乗り越えて、扉３の閉位置（加熱庫２の開口が完全かつ安全に閉まった状態における、使用者から見た扉３の前後方向の位置）に至る。
【００４０】
また、図６（ｂ）に示した扉３の閉状態から、使用者が扉３を開ける動作をした場合、第３の磁石Ｍ３３と第２の磁石Ｍ３２とが同極で対向する位置の若干前において、第３の磁石Ｍ３３と第２の磁石Ｍ３２の同極同士（Ｎ極とＮ極、又は、Ｓ極とＳ極）の反発力によって、扉３の開動作の方向とは反対の方向に力が付勢される。使用者は、その反発力以上の力で扉３を開方向に引き出すことによって、図６（ａ）に示すように、第３の磁石Ｍ３３と第２の磁石Ｍ３２とが対向する位置（図６（ａ）において矢印が描かれている辺り）を乗り越えて、扉３の開位置（加熱庫２の開口が開き、受皿５を用意に着脱できる状態における、使用者から見た扉３の前後方向の位置）に至る。
【００４１】
これにより、使用者は、第１の磁石Ｍ３１及び第２の磁石Ｍ３２の反発力以上の力で扉３を閉方向に押さなければ、扉３を閉めることができず、第３の磁石Ｍ３３及び第２の磁石Ｍ３２の反発力以上の力で扉３を開方向に引き出さなければ、扉３を開けることができない。そのため、使用者の扉３を閉位置に移動させようとする意思、及び開位置に移動させようとする意思を確認できる。したがって、使用者が扉を閉めること、あるいは開けることを意図せずに単に扉に触れただけで、扉が閉まってしまう、あるいは開いてしまうことはない。また、一旦第１の磁石Ｍ３１及び第２の磁石Ｍ３２が対向する位置を乗り越えた後は、第１の磁石Ｍ３１及び第２の磁石Ｍ３２の反発力によって扉の閉位置から開方向への動作が制限されるため、被ガイド部６及びガイド部７にベアリングやローラー等を用いて摺動性を良くした場合においても、扉が加熱調理器の設置箇所の微小な傾き等によって自然に閉位置から開方向へ動き出すことはない。同様に、一旦第３の磁石Ｍ３３及び第２の磁石Ｍ３２が対向する位置を乗り越えた後は、第３の磁石Ｍ３３及び第２の磁石Ｍ３２の反発力によって扉の開位置から閉方向への動作が制限されるため、被ガイド部６及びガイド部７にベアリングやローラー等を用いて摺動性を良くした場合においても、扉が加熱調理器の設置箇所の微小な傾き等によって自然に開位置から閉方向へ動き出すことはない。
【００４２】
上記の構成によれば、加熱庫の扉の閉時及び開時の両方において低コストに適度なクリック感が得られる加熱調理器を実現できる、という有利な効果を奏する。
【実施例４】
【００４３】
図７及び図８を参照して、実施例４における本発明の加熱調理器について説明する。図７は、本実施例における加熱調理器４０１の要部の構成を示す図である。
【００４４】
図７において、本実施例における加熱調理器４０１は、第１の磁石Ｍ１及び第２の磁石Ｍ２に代えて第１の磁石Ｍ４１、第２の磁石Ｍ４２、及び第３の磁石Ｍ４３を有する点において、図１を用いて説明した実施例１の加熱調理器１とは異なる。それ以外の点においては実施例１と同様であり、図１と同一符号を付した要素についての詳細な説明は省略する。
【００４５】
図７を参照して、本発明の加熱調理器４０１の主要部分について説明する。
図７において、ガイド部７は、加熱庫２の外側の側面に固定されている。ガイド部７の所定の位置には、第１の磁石Ｍ４１が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ４２及び第３の磁石Ｍ４３が配設されている。第１の磁石Ｍ４１と第２の磁石Ｍ４２、及び、第１の磁石Ｍ４１と第３の磁石Ｍ４３は、被ガイド部６がガイド部７に対して摺動した場合に、所定の位置で互いに同極で対向するように配設される。
【００４６】
図８は、扉３の閉時及び開時における第１の磁石Ｍ４１、第２の磁石Ｍ４２、及び第３の磁石Ｍ４３の位置関係を示す図である。図６（ａ）に示した扉３の開状態から、使用者が扉３を閉める動作をした場合、第１の磁石Ｍ４１と第２の磁石Ｍ４２とが同極で対向する位置の若干前において、第１の磁石Ｍ４１と第２の磁石Ｍ４２の同極同士（Ｎ極とＮ極、又は、Ｓ極とＳ極）の反発力によって、扉３の閉動作の方向とは反対の方向に力が付勢される。使用者は、その反発力以上の力で扉３を閉方向に押すことによって、図８（ｂ）に示すように、第１の磁石Ｍ４１と第２の磁石Ｍ４２とが対向する位置（図８（ｂ）において矢印が描かれている辺り）を乗り越えて、扉３の閉位置（加熱庫２の開口が完全かつ安全に閉まった状態における、使用者から見た扉３の前後方向の位置）に至る。
【００４７】
また、図８（ｂ）に示した扉３の閉状態から、使用者が扉３を開ける動作をした場合、第１の磁石Ｍ４１と第３の磁石Ｍ４３とが同極で対向する位置の若干前において、第１の磁石Ｍ４１と第３の磁石Ｍ４３の同極同士（Ｎ極とＮ極、又は、Ｓ極とＳ極）の反発力によって、扉３の開動作の方向とは反対の方向に力が付勢される。使用者は、その反発力以上の力で扉３を開方向に引き出すことによって、図８（ａ）に示すように、第１の磁石Ｍ４１と第３の磁石Ｍ４３とが対向する位置（図８（ａ）において矢印が描かれている辺り）を乗り越えて、扉３の開位置（加熱庫２の開口が開き、受皿５を用意に着脱できる状態における、使用者から見た扉３の前後方向の位置）に至る。
【００４８】
これにより、使用者は、第１の磁石Ｍ４１及び第２の磁石Ｍ４２の反発力以上の力で扉３を閉方向に押さなければ、扉３を閉めることができず、第１の磁石Ｍ４１と第３の磁石Ｍ４３の反発力以上の力で扉３を開方向に引き出さなければ、扉３を開けることができない。そのため、使用者の扉３を閉位置に移動させようとする意思、及び開位置に移動させようとする意思を確認できる。したがって、使用者が扉を閉めること、あるいは開けることを意図せずに単に扉に触れただけで、扉が閉まってしまう、あるいは開いてしまうことはない。また、一旦第１の磁石Ｍ４１及び第２の磁石Ｍ４２が対向する位置を乗り越えた後は、第１の磁石Ｍ４１及び第２の磁石Ｍ４２の反発力によって扉の閉位置から開方向への動作が制限されるため、被ガイド部６及びガイド部７にベアリングやローラー等を用いて摺動性を良くした場合においても、扉が加熱調理器の設置箇所の微小な傾き等によって自然に閉位置から開方向へ動き出すことはない。同様に、一旦第１の磁石Ｍ４１及び第３の磁石Ｍ４３が対向する位置を乗り越えた後は、第１の磁石Ｍ４１及び第３の磁石Ｍ４３の反発力によって扉の開位置から閉方向への動作が制限されるため、被ガイド部６及びガイド部７にベアリングやローラー等を用いて摺動性を良くした場合においても、扉が加熱調理器の設置箇所の微小な傾き等によって自然に開位置から閉方向へ動き出すことはない。
【００４９】
上記の構成によれば、加熱庫の扉の閉時及び開時の両方において低コストに適度なクリック感が得られる加熱調理器を実現できる、という有利な効果を奏する。
【実施例５】
【００５０】
図９及び図１０を参照して、実施例５における本発明の加熱調理器について説明する。図９は、本実施例における加熱調理器５０１の要部の構成を示す図である。
【００５１】
図９において、本実施例における加熱調理器５０１は、第１の磁石Ｍ１及び第２の磁石Ｍ２に加えて、第４の磁石Ｍ５４を有する点において、図１を用いて説明した実施例１の加熱調理器１とは異なる。それ以外の点においては実施例１と同様であり、図１と同一符号を付した要素についての詳細な説明は省略する。
【００５２】
図９を参照して、本発明の加熱調理器５０１の主要部分について説明する。
図９において、ガイド部７は、加熱庫２の外側の側面に固定されている。ガイド部７の所定の位置には、第１の磁石Ｍ１及び第４の磁石Ｍ５４が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ２が配設されている。第１の磁石Ｍ１及び第２の磁石Ｍ２は、被ガイド部６がガイド部７に対して摺動した場合に、所定の位置で互いに同極で対向するように配設される。第４の磁石Ｍ５４及び第２の磁石Ｍ２は、扉３の閉位置で互いに異極で対向するように配設される。
【００５３】
図１０は、扉３の閉時及び開時における第１の磁石Ｍ１、第２の磁石Ｍ２、及び第４の磁石Ｍ５４の位置関係を示す図である。図１０（ａ）に示すように、扉３の開時において、第１の磁石Ｍ１と第２の磁石Ｍ２及び第４の磁石Ｍ５４とは、十分離れている。この状態から、使用者が扉３を閉める動作をした場合、第１の磁石Ｍ１と第２の磁石Ｍ２とが同極で対向する位置の若干前において、第１の磁石Ｍ１と第２の磁石Ｍ２の同極同士（Ｎ極とＮ極、又は、Ｓ極とＳ極）の反発力によって、扉３の閉動作の方向とは反対の方向に力が付勢される。使用者は、その反発力以上の力で扉３を閉方向に押すことによって、図１０（ｂ）に示すように、第１の磁石Ｍ１と第２の磁石Ｍ２とが対向する位置（図１０（ｂ）において矢印が描かれている辺り）を乗り越えて、扉３の閉位置（加熱庫２の開口が完全かつ安全に閉まった状態における、使用者から見た扉３の前後方向の位置）に至る。扉３の閉位置において、第４の磁石Ｍ５４と第２の磁石Ｍ２とが異極で対向するため、扉３は、磁石の吸引力によって閉位置に引き付けられる。これにより、使用者は、扉３の閉時において、扉３が完全に閉まったかどうかを明確に感じ取ることができる。また、加熱調理器５０１の設置箇所の微小な傾きや、外部からの振動等によって、扉３が勝手に開くことがなく安定である。
【００５４】
上記の構成によれば、加熱庫の扉の閉時において低コストに適度なクリック感が得られ、使用者の扉を閉じようとする意思を確認できると共に、扉が閉位置にある場合に安定感が得られ、扉の密閉性を向上させることができる加熱調理器を実現できる、という有利な効果を奏する。また、磁石の位置や磁力の強さを調整することで、扉３の加熱庫２の開口に対する密閉性を高めることができる。この場合、扉３と開口との間にパッキン等のシール部材を設けると、扉３と開口の隙間から煙を漏れにくくすることができる。
【００５５】
本実施例において、ガイド部７側に第２の磁石Ｍ２と異極で対向する第４の磁石Ｍ５４が配設されたが、これに代えて、被ガイド部６側に第１の磁石Ｍ１と異極で対向する第４の磁石が配設されても良い。また、本実施例において、図１及び図２に示した実施例１の構成に、扉３の閉位置において第２の磁石Ｍ２と異極で対向する第４の磁石Ｍ５４を追加することによって、扉３の閉位置を安定させた。しかし、これに限らず、図３及び図４に示した実施例２、又は、図５及び図６に示した実施例３、又は、図７及び図８に示した実施例４の構成に、扉３の閉位置及び開位置の少なくとも一方において他の磁石と異極で対向する第４の磁石を追加して、扉３の閉位置及び開位置の少なくとも一方を安定させても良い。
【００５６】
また、本実施例において、コスト削減のため、扉３を閉位置で安定させるための第４の磁石Ｍ５４と対になる磁石として、クリック感を得るために配設された他の磁石（第２の磁石Ｍ２）を共用した。しかし、これに限らず、第４の磁石Ｍ５４と対になる磁石として、第５の磁石を設けても良い。その場合、第４の磁石と第５の磁石との間に働く磁力が、クリック感を得るための磁石間に働く磁力（例えば、第１の磁石Ｍ１と第２の磁石Ｍ２との間に働く磁力）よりも大きくなるように設定することで、クリック感を得るための磁力よりも、扉の位置を安定させる磁力の方が大きく、扉の開閉時の使用感が良い。
【００５７】
実施例１〜５において、ガイド部７の所定の位置に固定された各磁石（Ｍ１、Ｍ２１、Ｍ３１、Ｍ３３、Ｍ４１、Ｍ５４）は、加熱庫２の外部に設けられ、かつ、被ガイド部６と連動しない部材であれば、ガイド部７以外の他の部材に固定されても良く（例えば、加熱庫２の外側の側面に直接、あるいは、他の部材を介して固定される等。）、本発明の上記各実施例と同等の効果を奏する。同様に、被ガイド部６の所定の位置に固定された各磁石（Ｍ２、Ｍ２２、Ｍ３２、Ｍ４２、Ｍ４３）は、被ガイド部６と連動可能であれば、被ガイド部６以外の他の部材（例えば、扉支持部４に固定された他の部材）に固定されても良く、本発明の上記各実施例と同等の効果を奏する。
【００５８】
また、実施例１〜５において、ガイド部７は、加熱庫２の外側の側面に直接固定されたが、加熱庫２の外側の側面に他の部材を介して固定されても良く、あるいは、加熱庫２の外部に設けられた、加熱調理器１の他の構成要素に固定されても良い。
【産業上の利用可能性】
【００５９】
本発明にかかる加熱調理器は、例えば、誘導加熱調理器のグリルとして利用することができる。
【図面の簡単な説明】
【００６０】
【図１】本発明の実施例１における、加熱調理器の要部の構成を示す図
【図２】本発明の実施例１における、加熱調理器における扉の開時及び閉時の第１の磁石及び第２の磁石の位置関係を示す図
【図３】本発明の実施例２における、加熱調理器の要部の構成を示す図
【図４】本発明の実施例２における、加熱調理器における扉の開時及び閉時の第１の磁石及び第２の磁石の位置関係を示す図
【図５】本発明の実施例３における、加熱調理器の要部の構成を示す図
【図６】本発明の実施例３における、加熱調理器における扉の開時及び閉時の第１の磁石、第２の磁石、及び第３の磁石の位置関係を示す図
【図７】本発明の実施例４における、加熱調理器の要部の構成を示す図
【図８】本発明の実施例４における、加熱調理器における扉の開時及び閉時の第１の磁石、第２の磁石、及び第３の磁石の位置関係を示す図
【図９】本発明の実施例５における、加熱調理器の要部の構成を示す図
【図１０】本発明の実施例５における、加熱調理器における扉の開時及び閉時の第１の磁石、第２の磁石、第３の磁石、及び第４の磁石の位置関係を示す図
【図１１】本発明の実施例１における、加熱調理器の構成を示す図
【符号の説明】
【００６１】
１、２０１、３０１、４０１、５０１  加熱調理器
２  加熱庫
３  扉
４  扉支持部
５  受皿
６  被ガイド部
７  ガイド部
８  受皿支持部
９  ヒータ
１０  焼き網
１１、１７  被加熱物
１２  電磁誘導コイル
１３  排気口
１４  ガラストッププレート
１５  鍋
ＣＢ  キャビネット
Ｍ１、Ｍ２、Ｍ２１、Ｍ２２、Ｍ３１〜Ｍ３３、Ｍ４１〜Ｍ４３、Ｍ５４  磁石
【図１】
2006305196.tif 000003
【図２】
2006305196.tif 000004
【図３】
2006305196.tif 000005
【図４】
2006305196.tif 000006
【図５】
2006305196.tif 000007
【図６】
2006305196.tif 000008
【図７】
2006305196.tif 000009
【図８】
2006305196.tif 000010
【図９】
2006305196.tif 000011
【図１０】
2006305196.tif 000012
【図１１】
2006305196.tif 000013